(57)【要約】【課題】軒先の傾斜度を適切に調整して軒樋を水平に取り付けることができ、施工性が良好で、構成の単純化された軒樋吊具を提供すること。【解決手段】軒樋を支持する支持部２と、支持部に対して垂直に起立する固定部３とを備え、固定部の後端の支持部とは反対側に位置する第１垂直面４ａに重合する第２垂直面９を有し、第２垂直面の対向面１０が、軒先における鼻隠し板５の屋外面５ａに重合する傾斜面１０ａとされた角度調整部材８が、第２垂直面を固定部の第１垂直面に重合させて固定部に仮固定されている。【選択図】図１
2008156894.tif 000002
【特許請求の範囲】
【請求項１】
軒樋を支持する支持部と、支持部に対して垂直に起立する固定部とを備え、固定部の後端の支持部とは反対側に位置する第１垂直面に重合する第２垂直面を有し、第２垂直面の対向面が、軒先における鼻隠し板の屋外面に重合する傾斜面とされた角度調整部材が、第２垂直面を固定部の第１垂直面に重合させて固定部に仮固定されていることを特徴とする軒樋吊具。
【請求項２】
固定部に前後に貫通する第１取付孔が形成され、角度調整部材に前後に貫通する第２取付孔が形成され、第１取付孔と第２取付孔とを一致させて角度調整部材が固定部に仮固定され、固定部の第１取付孔の周囲部分および角度調整部材の第２取付孔の周囲部分が、鼻隠し板を形成する材料中に含まれる劣化性物質の移行により支持部が劣化するのを防止する劣化防止材料から形成されていることを特徴とする請求項１に記載の軒樋吊具。
【請求項３】
固定部に前後に貫通する第１取付孔が形成され、角度調整部材に前後に貫通する第２取付孔が形成され、第１取付孔と第２取付孔とを一致させて角度調整部材が固定部に仮固定され、角度調整部材が、鼻隠し板を形成する材料中に含まれる劣化性物質の移行により支持部が劣化するのを防止する劣化防止材料から形成されていることを特徴とする請求項１に記載の軒樋吊具。
【請求項４】
第１取付孔または第２取付孔の内、少なくとも第１取付孔が、前端から後端に向かって孔径が細くなる円錐状であり、後端側の孔径が軒樋吊具を鼻隠し板に固定する固着具の外径より細く、固着具の保持が可能となっていることを特徴とする請求項２または３に記載の軒樋吊具。
【請求項５】
第１取付孔または第２取付孔の内、少なくとも第１取付孔が、軒樋吊具を鼻隠し板に固定する固着具の外径より細い円柱状であり、固着具の保持が可能となっていることを特徴とする請求項２または３に記載の軒樋吊具。
【発明の詳細な説明】
【技術分野】
【０００１】
本発明は、軒樋吊具に関する。
【背景技術】
【０００２】
軒先に軒樋を取り付けるために、図５に示したような軒樋吊具１が用いられている。軒樋吊具１は、これまでに様々な構成を有するものが提供されているが、一般に、軒樋の耳部を保持し、軒樋を支持する支持部２と、支持部２に対して垂直に起立する固定部３とを備えている。
【０００３】
軒樋吊具１は、固定部３の後端の支持部２とは反対側に位置する垂直面４を軒先に設けられた鼻隠し板５の屋外面５ａに当接させ、固定部３に形成された前後方向に貫通する取付孔６を通じて固着具としての釘またはビスを鼻隠し板５に打入または螺入して軒先に取り付けられ、固定される。このように固定された軒樋吊具１に軒樋が取り付けられ、軒樋が軒樋吊具１を介して軒先に取り付けられる。
【０００４】
ところで、軒先は、鉛直方向を向く他、図５に示したように、傾斜する屋根に略直角に設けられ、上端から下端にかけて外壁側に向かって傾斜する場合もある。後者の傾斜する軒先において鼻隠し板５に軒樋吊具１を固定すると、軒樋を水平に取り付けることができないため、軒樋吊具１の固定部３の垂直面４と鼻隠し板５の屋外面５ａとの間の隙間７を調整する工夫が必要とされる。
【０００５】
そこで、特許文献１に記載された角度調整固定具が知られている。角度調整固定具は、屋内側面と屋外側面とのなす角が鼻隠し板５の屋外面５ａと鉛直面とのなす角に等しくされたブロック状体であり、軒樋吊具１の固定部３に形成された取付孔６に相対する位置に嵌挿係止片が立設されている。
【０００６】
図５に示したように傾斜する軒先に軒樋吊具１を取り付け、固定する際には、鼻隠し板５に角度調整固定具を取り付けた後、角度調整固定具の嵌挿係止片を軒樋吊具１の固定部３の取付孔６に挿入し、軒樋吊具１を角度調整固定具に取り付ける。軒先の傾斜度に応じた角度調整固定具を採用することにより、軒樋吊具１に変更を加えず、鉛直方向を向く軒先と同様に軒樋吊具１を鼻隠し板５に取り付け、固定することができ、軒樋を水平に取り付けることができる。
【０００７】
その一方で、軒樋吊具１は、角度調整固定具を介してでないと軒先に取り付けることができないため、角度調整固定具の鼻隠し板５への取り付けの分施工性が悪くなっている。軒樋吊具１の取付作業は軒先という高所で行われるので、施工性の悪さは施工効率に反映する。
【０００８】
このような施工性の問題を解消するものとして、特許文献２に記載された軒樋支持具が知られている。軒樋を支持する支持体が突設された固定部の屋内面に固定板が上端部において回動自在に取り付けられ、固定板の下端部に回動自在に取り付けられた支持棒の先端を固定部に形成された複数個の嵌合穴に択一的に挿入することによって、固定板と固定部との角度を軒先の傾斜度に一致させ、傾斜する軒先の鼻隠し板に直に軒樋支持具を取り付け、固定することができる。
【０００９】
しかしながら、特許文献２に記載された軒樋支持具は、図５に示したような傾斜する軒先の鼻隠し板５に直に取り付け、固定することができるものの、固定板の角度調整を各軒樋支持具において行わなければならないという問題があり、施工性があまり改善されていない。また、軒樋支持具の構成がやや複雑であり、コストに反映する。
【特許文献１】実開平１−１１４７３３号公報
【特許文献２】特開平９−１８９１０５号公報
【発明の開示】
【発明が解決しようとする課題】
【００１０】
本発明は、以上の通りの事情に鑑みてなされたものであり、軒先の傾斜度を適切に調整して軒樋を水平に取り付けることができ、施工性が良好で、構成の単純化された軒樋吊具を提供することを課題としている。
【課題を解決するための手段】
【００１１】
本発明の軒樋吊具は、上記の課題を解決するために、以下のことを特徴としている。
【００１２】
第１に、軒樋を支持する支持部と、支持部に対して垂直に起立する固定部とを備え、固定部の後端の支持部とは反対側に位置する第１垂直面に重合する第２垂直面を有し、第２垂直面の対向面が、軒先における鼻隠し板の屋外面に重合する傾斜面とされた角度調整部材が、第２垂直面を固定部の第１垂直面に重合させて固定部に仮固定されている。
【００１３】
第２に、上記第１の特徴において、固定部に前後に貫通する第１取付孔が形成され、角度調整部材に前後に貫通する第２取付孔が形成され、第１取付孔と第２取付孔とを一致させて角度調整部材が固定部に仮固定され、固定部の第１取付孔の周囲部分および角度調整部材の第２取付孔の周囲部分が、鼻隠し板を形成する材料中に含まれる劣化性物質の移行により支持部が劣化するのを防止する劣化防止材料から形成されている。
【００１４】
第３に、上記第１の特徴において、固定部に前後に貫通する第１取付孔が形成され、角度調整部材に前後に貫通する第２取付孔が形成され、第１取付孔と第２取付孔とを一致させて角度調整部材が固定部に仮固定され、角度調整部材が、鼻隠し板を形成する材料中に含まれる劣化性物質の移行により支持部が劣化するのを防止する劣化防止材料から形成されている。
【００１５】
第４に、上記第２または第３の特徴において、第１取付孔または第２取付孔の内、少なくとも第１取付孔が、前端から後端に向かって孔径が細くなる円錐状であり、後端側の孔径が軒樋吊具を鼻隠し板に固定する固着具の外径より細く、固着具の保持が可能となっている。
【００１６】
第５に、上記第２または第３の特徴において、第１取付孔または第２取付孔の内、少なくとも第１取付孔が、軒樋吊具を鼻隠し板に固定する固着具の外径より細い円柱状であり、固着具の保持が可能となっている。
【発明の効果】
【００１７】
上記第１の発明によれば、角度調整部材によって軒先の傾斜度を適切に調整し、固定部を鉛直方向に向けることができ、軒樋を水平に取り付けることができる。角度調整部材は固定部に仮固定されており、一体として軒先の鼻隠し板に取り付け、固定することができ、施工性が良好である。また、軒樋吊具は、従来の軒樋吊具に角度調整部材が付加されただけの単純な構成であり、コストを低く抑えることができる。
【００１８】
上記第２の発明によれば、上記第１の発明の効果に加え、鼻隠し板を形成する材料中に含まれる劣化性物質の移行により支持部が劣化するのを防止することができ、軒樋の取付状態が安定に保たれる。
【００１９】
上記第３の発明によれば、上記第２の発明と同様な効果が得られる。
【００２０】
上記第４の発明によれば、上記第２または第３の発明の効果に加え、軒樋吊具を鼻隠し板に固定する固着具の保持が可能であり、高所での作業が容易となり、施工性がさらに良好となる。
【００２１】
上記第５の発明によれば、上記第４の発明と同様な効果が得られる。
【発明を実施するための最良の形態】
【００２２】
図１は、本発明の軒樋吊具の一実施形態を示した側面図である。
【００２３】
図１に示した軒樋吊具１は、軒樋の耳部を保持し、軒樋を支持する支持部２と、支持部２に対して垂直に起立する固定部３と、固定部３を鉛直方向に向けて配置させる角度調整部材８とを備えている。角度調整部材８は、固定部３の後端の支持部２とは反対側に位置する第１垂直面４ａに重合する第２垂直面９を有し、第２垂直面９の対向面１０が、軒先における鼻隠し板５の屋外面５ａに重合する傾斜面１０ａとされている。そして、角度調整部材８は、第２垂直面９を固定部３の第１垂直面４ａに重合させて固定部３に仮固定されている。
【００２４】
軒樋吊具１は、角度調整部材８の傾斜面１０ａを軒先に設けられた鼻隠し板５の屋外面５ａに当接させて軒先に取り付け、固定される。角度調整部材８の傾斜面１０ａは鼻隠し板５の屋外面５ａに重合し、第２垂直面９は固定部３の第１垂直面４ａに重合しているため、固定部３は鉛直方向に向かい、軒樋吊具１は、軒樋の水平な取り付けを可能にする。
【００２５】
角度調整部材８は、傾斜面１０ａの傾斜度を軒先の傾斜度に対応させることができる。つまり、軒先の傾斜度に対応して傾斜面１０ａの傾斜度の異なる複数の角度調整部材８をあらかじめ用意し、固定部３を鉛直方向に向けて配置させることのできる角度調整部材８を軒先の傾斜度に応じて選択し、固定部３に取り付け、軒樋吊具１を形成することができる。角度調整部材８の取り付けは、軒樋吊具１の生産工場において受注生産などにより行ったり、施工現場において行ったりすることができる。
【００２６】
支持部２および固定部３は一体成形により形成することができるが、角度調整部材８は、軒先の傾斜度に応じたものを選択する必要があるため、支持部２および固定部３とは別部材として作製される。しかしながら、角度調整部材８は、軒樋吊具１において固定部３に仮固定されているので、軒樋吊具１の軒先への取り付けに際して角度調整部材８は支持部２および固定部３と一体となっており、角度調整部材８をまず鼻隠し板５に取り付け、次いで支持部２と一体成形された固定部３を取り付けるような手順を踏むことなく、固定部３に形成された前後に貫通する取付孔６を通じて釘の打入またはビス１１の螺入によって軒樋吊具１を直に軒先に取り付け、固定することができる。
【００２７】
角度調整部材８は、上記の通り、固定部３に仮固定されている。すなわち、固定部３から容易に脱落しない程度に固定されているだけである。軒樋吊具１は、固着具としての釘またはビス１１によって軒先に固定されるので、軒樋吊具１の軒先への固定時に角度調整部材８を本固定することができ、したがって、軒樋吊具１において角度調整部材８は固定部３に強固に固定されている必要がない。別部材として作製される角度調整部材８の固定部３への取付強度は特に制約されないので、軒樋吊具１の作製が容易となっている。
【００２８】
また、角度調整部材８は固定部３に仮固定されているので、万一施工現場において傾斜面１０ａの傾斜度が軒先の傾斜度に一致していないときには、軒先の傾斜度を適切に調整し、固定部３を鉛直方向に向けることができる別の角度調整部材８に交換し、再度仮固定し、一体として軒樋吊具１の取り付けを行うことができる。
【００２９】
このような角度調整部材８の固定部３への仮固定は、接着剤による接着、粘着テープによる粘着などによって容易に実現される。
【００３０】
以上の軒樋吊具１は、角度調整部材８によって軒先の傾斜度を適切に調整し、固定部３を鉛直方向に向けることができ、軒樋の水平な取り付けを可能にする。角度調整部材８は固定部３に仮固定されており、一体として軒先の鼻隠し板５に取り付け、固定することができ、施工性が良好である。また、軒樋吊具１は、従来の軒樋吊具１に角度調整部材８が付加されただけの単純な構成であり、コストを低く抑えることができる。
【００３１】
なお、軒樋吊具１では、釘の打入およびビス１１の螺入を容易とするために、角度調整部材８にも取付孔を設けることができる。すなわち、図２に示したように、固定部３に前後に貫通する第１取付孔６ａを形成し、角度調整部材８に前後に貫通する第２取付孔１２を形成する。そして、第１取付孔６ａと第２取付孔１２とを一致させて角度調整部材８を固定部３に仮固定する。第１取付孔６ａと第２取付孔１２とが連通するため、釘の打入およびビス１１の螺入がスムーズに行われる。
【００３２】
この場合、固定部３の第１取付孔６ａの周囲部分および角度調整部材８の第２取付孔１２の周囲部分を鼻隠し板５を形成する材料中に含まれる劣化性物質の移行により支持部２が劣化するのを防止する劣化防止材料１３から形成することができる。鼻隠し板５がセメント製であるとそのアルカリ成分が、また、塩ビ鋼板製であると可塑剤が経時的に移行し、支持部２を劣化させることがある。支持部２および固定部３は、軽量で強度の高い材料から形成されることが好ましく、特にポリカーボネートは支持部２および固定部３用の材料として好ましいが、この場合の劣化性物質の移行防止は重要である。劣化性物質の移行は釘またはビス１１を通じて起こりやすいため、固定部３の第１取付孔６ａの周囲部分および角度調整部材８の第２取付孔１２の周囲部分を劣化防止材料１３から形成することは、支持部２の劣化を防止する上で有効であり、また、劣化防止材料１３の使用を必要最小限に抑えることができるので、好ましい。角度調整部材８を固定部３と同様のポリカーボネート製としても、鼻隠し板５からの劣化性物質の移行を防止することができる。支持部２の劣化防止により、軒樋の取付状態が安定に保たれる。
【００３３】
劣化防止材料１３には種々の材料を採用することができ、たとえば、ポリエチレン、ポリプロピレン、ポリ塩化ビニルなどの硬質系樹脂やシリコンゴム、ウレタンゴムなどの軟質系樹脂が例示される。ポリブチレンテレフタレートの採用も可能であり、この場合、ガラス繊維入りとすることで、釘の打入またはビス１１の螺入にともなう圧縮強度に十分耐え得るようになる。軟質系樹脂を使用すると、第１取付孔６ａおよび第２取付孔１２における釘またはビス１１の保持面積が拡大され、釘またはビス１１を安定して保持することができるとともに、軒樋吊具１にかかる応力をより均等に配分することができ、釘またはビス１１の応力による軒樋吊具１の劣化を防ぐこともできる。
【００３４】
さらに、劣化防止材料１３の厚みは、図２に示したように、固定部３の前面から角度調整部材８の傾斜面１０ａに向かって漸次増大させることができ、アルカリ成分や可塑剤などの劣化性物質の移行をより防止することができる。
【００３５】
このように固定部３の第１取付孔６ａの周囲部分および角度調整部材８の第２取付孔１２の周囲部分を劣化防止材料１３から形成する場合、第１取付孔６ａまたは第２取付孔１２において固着具としての釘またはビス１１を保持可能とするようにすることが好ましい。
【００３６】
具体的には、たとえば図３＜ａ＞に示したように、連通する第１取付孔６ａおよび第２取付孔１２を前端の固定部３から後端の角度調整部材８の傾斜面１０ａに向かって孔径が細くなる、すなわち、孔径がｄ＜Ｄである円錐状とし、後端側の孔径を軒樋吊具１を鼻隠し板５に固定する固着具である釘またはビス１１の固着具の外径Ｒより細くする。こうしておくと、固着具としての釘またはビス１１は、第１取付孔６ａの前端から挿入することにより、外径Ｒより孔径が細くなった第１取付孔６ａまたは第２取付孔１２の部分において劣化防止材料１３の弾性などにより保持される。したがって、あらかじめ釘またはビス１１を第１取付孔６ａの前端から挿入し、第１取付孔６ａまたは第２取付孔１２に保持させた状態において、角度調整部材８の傾斜面１０ａを軒先の鼻隠し板５の屋外面５ａに重合させ、軒樋吊具１を鼻隠し板５に取り付け、固定することができ、釘の打入およびビス１１の螺入が容易となる。軒樋吊具１の取付作業は高所で行われることから、このような釘またはビス１１の第１取付孔６ａまたは第２取付孔１２における保持は、軒樋吊具１の施工性をさらに良好にする。
【００３７】
また、釘またはビス１１は、劣化防止材料１３を削るように打入または螺入されるので、軒樋吊具１の釘またはビス１１による固定強度が高まり、有効である。
【００３８】
さらに、ビス１１による固定の場合には、図３＜ｂ＞に示したように、第１取付孔６ａおよび第２取付孔１２の内周にネジ溝１４を刻設すると、ビス１１を第１取付孔６ａまたは第２取付孔１２にある程度ねじ込むことができるので、保持力が高まり、ビス１１の不意の脱落を防止することができる。
【００３９】
この他、図３＜ｃ＞に示したように、連通する第１取付孔６ａおよび第２取付孔１２は、円柱状とすることができる。この場合、孔径ｄを固着具としての釘またはビス１１の外径Ｒより細くし、釘またはビス１１を保持可能とする。
【００４０】
このような釘またはビス１１の保持は、少なくとも固定部３側で実現されればよい。すなわち、少なくとも第１取付孔６ａを、前端から後端に向かって孔径が細くなる円錐状とし、後端側の孔径が釘またはビス１１の外径Ｒより細くしたり、釘またはビス１１の外径Ｒより細い円柱状としたりする。
【００４１】
図４は、本発明の軒樋吊具における固定部と角度調整部材の一形態を示した要部断面図である。
【００４２】
図４に示した角度調整部材８は、その全体が劣化防止材料１３から形成されている。このようにすることにより、鼻隠し板５の屋外面５ａに重合する傾斜面１０ａの全面において鼻隠し板５を形成する材料中に含まれる劣化性物質の移行を防止することができ、支持部２の劣化を一層効果的に防止することができる。加えて、固定部３において第１取付孔６ａの周囲部分が劣化防止材料１３から形成され、より一層劣化性物質の支持部２への移行を防止している。角度調整部材８の全体が劣化防止材料１３から形成される場合は、必ずしも第１取付孔６ａの周囲部分を劣化防止材料１３から形成する必要はないが、第１取付孔６ａの周囲部分を劣化防止材料１３から形成することにより支持部２の劣化防止効果がより一層高まる。また、劣化防止材料１３の厚みを固定部３の前端から後端に向かって漸次増大させることにより、支持部２の劣化防止効果をさらに高めることができる。
【００４３】
なお、図４に示した固定部３および角度調整部材８についても、第１取付孔６ａおよび第２取付孔１２には、図３＜ａ＞〜＜ｃ＞に示したような構成を同様に採用し、軒樋吊具１を軒先に取り付け、固定する固着具としての釘またはビス１１を保持可能とし、施工性をより良好にすることができる。
【図面の簡単な説明】
【００４４】
【図１】本発明の軒樋吊具の一実施形態を示した側面図である。
【図２】本発明の軒樋吊具における固定部と角度調整部材の一形態を示した要部断面図である。
【図３】＜ａ＞＜ｂ＞＜ｃ＞は、それぞれ、本発明の軒樋吊具における第１取付孔および第２取付孔の孔径と固着具の外径との関係を示した図である。
【図４】本発明の軒樋吊具における固定部と角度調整部材の一形態を示した要部断面図である。
【図５】従来の軒樋吊具を例示した側面図である。
【符号の説明】
【００４５】
１  軒樋吊具
２  支持部
３  固定部
４ａ  第１垂直面
５  鼻隠し板
５ａ  屋外面
６ａ  第１取付孔
８  角度調整部材
９  第２垂直面
１０  対向面
１０ａ  傾斜面
１２  第２取付孔
１３  劣化防止材料
【図１】
2008156894.tif 000003
【図２】
2008156894.tif 000004
【図３】
2008156894.tif 000005
【図４】
2008156894.tif 000006
【図５】
2008156894.tif 000007